(57)【要約】【課題】流体にマイナス・イオンを注入すると活性化する、簡単な方法はトルマリン・麦飯石など鉱石を用いるが、静止状態ではマイナス・イオンは殆ど発生せず鉱石自体を振動又は、流体を鉱石に衝突させ振動させる必要があった。しかし鉱石を振動させると粉砕されやすく、また流体を鉱石に衝突させる場合流れの抵抗が大きくなり、流量に限度があった。本発明は流量を変えずに活性化の基となるマイナス・イオンを飛躍的に増大させる方法を提供する【解決手段】流体の中に、マイナス・イオン放射性固体、同固体の粉粒体又は同粉粒体を焼結したセラミックスの塊状体又は粉粒体を配設し、前記放射性固体、同粉粒体又はセラミックスを、流体に超音波を付与して振動させ、流体を活性化する。【選択図】図１
2005279431.tif 000002
【特許請求の範囲】
【請求項１】
流体の中に（１）マイナス・イオン放射性固体、（２）同固体の粉粒体又は（３）同粉粒体を焼結したセラミックスの塊状体又は粉粒体を配設し、次いで前記放射性固体、同粉粒体又はセラミックスと流体に超音波を付与して振動させることを特徴とする流体の活性化方法。
【請求項２】
流体が、（１）単一液体、（２）異種液体の混合液、（３）単一気体、（４）異種気体の混合物、（５）液体と気体の混合物、（６）液体と固体の混合物又は（７）気体と固体の混合物から選択されるいずれか１であることを特徴とする流体の活性化方法。
【請求項３】
流体が、異種液体の混合エマルジョン又は液体と気体の混合エマルジョンから選択されるいずれか１であることを特徴とする請求項１又は２に記載の流体の活性化方法。
【請求項４】
流体が、燃料であることを特徴とする請求項１〜３のいずれか１項に記載の流体の活性化方法。
【請求項５】
マイナス・イオン放射性固体が、トルマリン、麦飯石、医王石、コスモタイト、黒曜石、竹炭、備長炭及びモナザイトから選択される１種又は２種以上であることを特徴とする請求項１〜４のいずれか１項に記載の流体の活性化方法。
【請求項６】
超音波が、周波数１０〜５０ＫＨｚであることを特徴とする請求項１〜５のいずれか１項に記載の流体の活性化方法。
【発明の詳細な説明】
【技術分野】
【０００１】
本発明はマイナス・イオン放射性材料からのマイナスイオン放射効率を高めることによる流体の活性化方法に関する。
【背景技術】
【０００２】
流体特に水にマイナス・イオンを注入すると水が活性化することが知られているが、前記マイナス・イオン注入法には電解法、コロナ放電法、高電圧法、マイナス・イオン放射セラミックス（トルマリン、麦飯石等）による方法、備長炭による方法等がある。
この中で簡単な方法はトルマリン・麦飯石など鉱石を用いる方法であるが、
これらは静止状態ではマイナス・イオンは殆ど発生せず、鉱石自体を振動させるか、又は流体を鉱石に衝突させて振動させる必要があった。
【非特許文献１】書籍：「トルマリンでキレイになった、病気が治った」４８〜４９頁（トルマリン粉砕品の振動・摩擦の計測）著者ＳＭＢ研究会、発行ゴマブックス株式会社、２００２年７月１０日発行
【発明の開示】
【発明が解決しようとする課題】
【０００３】
しかしながら、鉱石を振動させると粉砕されやすく、また流体を鉱石に衝突させる場合流れの抵抗が大きくなり、流量に限度があった。
本発明は流量を変えずに活性化の基となるマイナス・イオンを飛躍的に増大させる方法を提供する。
【課題を解決するための手段】
【０００４】
上記に鑑み本発明者は、鋭意実験研究の結果次の手段によりこの課題を解決した。
〔１〕流体の中に（１）マイナス・イオン放射性固体、（２）同固体の粉粒体又は（３）同粉粒体を焼結したセラミックスの塊状体又は粉粒体を配設し、次いで前記放射性固体、同粉粒体又はセラミックスと流体に超音波を付与して振動させることを特徴とする流体の活性化方法。
〔２〕流体が、（１）単一液体、（２）異種液体の混合液、（３）単一気体、（４）異種気体の混合物、（５）液体と気体の混合物、（６）液体と固体の混合物又は（７）気体と固体の混合物から選択されるいずれか１であることを特徴とする流体の活性化方法。
〔３〕流体が、異種液体の混合エマルジョン又は液体と気体の混合エマルジョンから選択されるいずれか１であることを特徴とする前項〔１〕又は〔２〕に記載の流体の活性化方法。
〔４〕流体が、燃料であることを特徴とする前項〔１〕〜〔３〕のいずれか１項に記載の流体の活性化方法。
〔５〕マイナス・イオン放射性固体が、トルマリン、麦飯石、医王石、コスモタイト、黒曜石、竹炭、備長炭及びモナザイトから選択される１種又は２種以上であることを特徴とする前項〔１〕〜〔４〕のいずれか１項に記載の流体の活性化方法。
〔６〕超音波が、周波数１０〜５０ＫＨｚであることを特徴とする請求項１〜５のいずれか１項に記載の流体の活性化方法。
【発明の効果】
【０００５】
１、本発明の請求項１の発明によれば、
流体の中に（１）マイナス・イオン放射性固体、（２）同固体の粉粒体又は（３）同粉粒体を焼結したセラミックスの塊状体又は粉粒体を配設し、次いで前記放射性固体、同粉粒体又はセラミックスと流体に超音波を付与して振動させることにより、マイナス・イオン放射効率を高めることができるため、活性化された流体を容易に生成することができる。
２、請求項２の発明によれば、
流体が、（１）単一液体、（２）異種液体の混合液、（３）単一気体、（４）異種気体の混合物、（５）液体と気体の混合物、（６）液体と固体の混合物又は（７）気体と固体の混合物から選択されるいずれか１であるため、
本発明の対象となる流体は、無機薬品、有機薬品等の溶液（水溶液又は有機溶媒による溶液）石油類を含むエマルジョン、海水、煙霧等広範にわたって適用することができる。
例えば、 流体が、単一液体の水であれば、マイナス・イオンが増大し活性化された水を供給することができ、また、流体が、単一気体の空気であれば、マイナス・イオンが増大し活性化された空気を供給することができるため、両者共に治療具、健康器具等に応用することができる。
さらに、液体と固体の混合物である海水のＯＲＰ（酸化還元電位）を下げる場合本発明の方法を使用すれば、容易に酸化還元電位を下げることができる。海水を真水化する場合逆浸透法が使用されるが、前記酸化還元電位を下げると浸透性がよくなり、逆浸透の効率が格段に上昇する。
【０００６】
３、請求項３の発明によれば、
流体が、異種液体の混合エマルジョン又は液体と気体の混合エマルジョンから選択されるいずれか１であるため、
例えば、油（Ｏｉｌ）と水（Ｗａｔｅｒ）のエマルジョンの場合、本発明によればＯ／Ｗ、Ｗ／Ｏのどちらの状態でもＯＲＰ（酸化還元電位）を下げることができ、燃焼性を向上させることができる。
４、請求項４の発明によれば、
流体が、燃料であるため、
例えば燃料用ガスにおいて、マイナス・イオンが増大し活性化されたガスを供給することができるため、燃焼効率の向上を図ることができる。
５、請求項５の発明によれば、
マイナス・イオン放射物が、トルマリン、麦飯石、医王石、コスモタイト、黒曜石、竹炭、備長炭及び、モナザイト等であるため、天然に存在する前記マイナス・イオン放射鉱石又は、その粉末を成形したセラミックス等を流体活性化の原料とすることができるため、原料の入手が容易であり、またその加工製品を容易に作製することができ、産業への応用分野が極めて広い。
６、請求項６の発明によれば、
超音波の周波数を１０〜５０ＫＨｚとすることにより流体中におけるマイナス・イオン放射性材料からのマイナス・イオン発生効率を高めることができ、かつ超音波発生器が容易に入手でき、流体の活性化装置の製作コストが低下できる。
【発明を実施するための最良の形態】
【０００７】
前記のように、トルマリン・麦飯石等や、そのマイナス・イオン放射セラミックスは静止状態ではマイナス・イオンは殆ど放射しない。従ってマイナス・イオンを発生させるためには、例えば風を当てる、水流を当てる等して前記マイナス・イオン放射セラミックス等を振動させる必要がある。
しかし、前記トルマリン、麦飯石等やそれらのセラミックスは固体を振動させると粉砕される恐れがあるため、本発明では流体に超音波を与えて振動させ、流速は遅くても流体が前記トルマリンやセラミックスに超音波振動で衝突し、マイナス・イオン放射を最大限に実現できることを特徴としている。
ただし、水流を当てる場合、流体を流して振動させると、層流ではマイナス・イオンの放射は充分でなくまた、乱流では流体の抵抗が大きくなり、圧損が大きく工業的利用には不向きであるが、本方法によれば流れそのものは層流でもよいため、圧損を少なくしてマイナス・イオンの放射性を高めることができる。
【０００８】
ただし、ここでいうマイナス・イオンとは、原子、分子、活性基又はそれらの集団が電気的に帯電した状態を表す総称であって、化学的に記述する陰イオンとは異なる状態である。
もちろん、トルマリン、麦飯石等から放射するのは電子であり、該電子が流体の分子やその中に存在するミネラルや原子団に捕獲されてマイナス・イオンの状態になる。
【０００９】
また、マイナス・イオン放射鉱石はトルマリン、麦飯石の他、コスモタイトや医王石などの名称で販売されている鉱物もあり、それらの鉱物も静止状態ではマイナス・イオンを放射しないか又は少ないが、振動させることによりマイナス・イオン放射量を増大する。従って、本発明はそれらの名称のマイナス・イオン放射鉱石又はそのセラミックスにも適用される。
【００１０】
以下、図表により発明の実施の形態を説明する。
表１は、マイナス・イオン放射鉱石（トルマリン、麦飯石）及びそのセラミックス等の検体に超音波振動を与えた時に発生するマイナス・イオン数を示す。
【表１】
2005279431.tif 000003
流体：空気，
測定器：簡易式マイナスイオン測定器  ＭＯＤＥＬ：ＥＢ−１２Ａ  （株式会社エコホリスティック），
容器及び超音波発生器：卓上型超音波洗浄機「ＳＯＮＯ  ＱＵＩＣＫ Ｃ６（超音波工業株式会社）」，
容量：１．５Ｌ，槽材質： ＳＵＳ３０４，
振動数：３８ｋＨｚ，出力：５５Ｗ，
検体と空気の処理：（装置、図１参照），
【００１１】
上表１より、単に風のみによる振動と、超音波振動を与えた場合を比較すると平均のマイナスイオンの数は約２倍に増大している。
【００１２】
表２は、流体（水道水）中に、トルマリン、麦飯石、同セラミックス及び放射性セラミックス等を配設し、流体に超音波振動を与えて検体を振動させた時に得られる流体の酸化還元電位（ＯＲＰ）の測定値である。
【表２】
2005279431.tif 000004
流体：水道水，
測定器：酸化還化電位計（ＯＲＰ計），ＰＨ計，
容器及び超音波発生器：卓上型超音波洗浄機「ＳＯＮＯ  ＱＵＩＣＫ Ｃ６（超音波工業株式会社）」，
容量：１、５Ｌ，槽材質：ＳＵＳ３０４，
振動数３８ｋＨｚ，出力：５５Ｗ，
検体と水道水の処理：（装置、図２参照），
【００１３】
上表２より流体（水道水）を静置した時と、超音波振動を与えた時とを比較するとＯＲＰは＋から−値に大幅に減少している。
【００１４】
また、本発明の対象となる流体は水や空気の他、前記無機薬品、有機薬品等の溶液（水溶液又は有機溶媒による溶液）石油類を含むエマルジョン、海水等にも適用される。
例えば、海水の酸化還元電位：ＯＲＰ（Ｏｘｉｄａｔｉｏｎ  Ｒｅｄｕｃｔｉｏｎ  Ｐｏｔｅｎｔｉａｌ）を下げる場合電解法は難しいが本発明の方法を使用すれば容易に酸化還元電位を下げることができる。
海水を真水化する場合逆浸透法が使用されるが、前記酸化還元電位を下げると浸透性がよくなり、逆浸透の効率が格段に上昇する。
さらに、油：Ｏ（Ｏｉｌ）、水：Ｗ（Ｗａｔｅｒ）エマルジョンの場合、
本発明によればＯ／Ｗ、Ｗ／Ｏのどちらの状態でもＯＲＰを下げることができ、エマルジョン燃焼性を向上させることができる。
【００１５】
図１は本発明の流体空気の活性化装置の模式図である。
図において、１は超音波発生槽、２は流体の空気の流れ、３はマイナス・イオン放射体、４は槽壁、５は槽蓋、６は温度計、７は流体入り口、８は流体吐出口、９はイオンカウンターを示す。
超音波発生槽１内にマイナス・イオン放射体３（例えば小球状のマイナス・イオン放射体：麦飯石セラミックス等）を充填し槽蓋５をした後、流体入り口７から流体の空気の流れ２のように空気を圧入する。
該空気は前記層流をなし、槽壁４内のマイナス・イオン放射体３の空隙を通過して流体吐出口８方向に流れマイナス・イオンが付加される。
そしてこの際、前記マイナス・イオン放射体３の表面は超音波発生槽１より発生される３８ＫＨｚの超音波振動により空気を介して叩かれる結果、マイナス・イオン放射効率を飛躍的に増大させることができる。
また、槽の材質は金属製であり、超音波の反射波も利用できるため効率を増大している。
【００１６】
図２は本発明の流体水道水の活性化装置の模式図である。
図において、１０は流体水道水流入口、１１は水道水、１２はステンレス製籠、１３はＯＲＰ測定器、１４は吐出口、１５は開閉弁を示す。
超音波発生槽１に配設されたステンレス製籠１２の中に、マイナス・イオン放射体３（例えば小球状のマイナス・イオン放射体：麦飯石セラミックス）を充填した後、流体水道水入り口１０から流体の水道水１１を注入する。
該水道水１１が、前記槽内に充填されたマイナス・イオン放射体３の空隙を満たして槽内に貯留されると注水を停止する。
この状態を静置としてＯＲＰを測定すると高い値を示す。
次ぎに、超音波振動を与えると前記マイナス・イオン放射体３の表面は、超音波発生槽１より発生される３８ＫＨｚの超音波振動により水道水１１を介して叩かれる結果、加振時間に比例してマイナスイオン放射効率が増大して浸積している水道水１１のＯＲＰの値を大幅に低下させることができる。
そして、前記ＯＲＰが低下し著しく活性化された水道水１１を、吐出口１４から開閉弁１５を開いて取出すことができる。
【００１７】
図３は本発明の他の方式の流体の活性化装置縦断面の模式図である。
図において、１６は超音波発生器、１７は流体、１８はマイナス・イオン放射体、１９は網状容器、２０は流体流路、２１は流体入り口、２２は流体出口、２３は活性化された流体を示す。
流体１７の流体流路２０に超音波発生器１６を配設し、またマイナス・イオン放射体１８（例えば小球状のマイナス・イオン放射体：麦飯石セラミックス）を管状をなす前記流体流路２０の内周壁に設けられた網状容器１９の中に充填し、前記流体流路２０の流体入り口２１より流体出口２２に向けて流体１７を流す。
流体１７は前記、水、有機溶媒、石油類、水溶液、有機溶液、エマルジョン等である。
前記層流をなす流体１７は流体流路２０に従って流れ、マイナス・イオン放射体１８によってマイナス・イオンを付加される。
そしてこの際、前記マイナス・イオン放射体１８の表面は超音波発生器１６により発生される１０〜５０ＫＨｚの超音波振動により流水を介して叩かれる結果、マイナス・イオン放射効率を飛躍的に増大させることができ、前記流体のＯＲＰの値が低下した流体即ち活性化された流体２３を流体出口２２より取得することができる。
なお、ＯＲＰの計測は外部にて行うものとする。
また、前記流体流路２０を金属管製のものにすると、超音波の反射波も利用できるためさらに効率を増大することができる。
【図面の簡単な説明】
【００１８】
【図１】本発明の流体空気の活性化装置の模式図
【図２】本発明の流体水道水の活性化装置の模式図
【図３】本発明の他の方式の流体の活性化装置縦断面の模式図
【符号の説明】
【００１９】
１：超音波発生槽                    ２：流体の空気の流れ
３：マイナス・イオン放射体          ４：槽壁
５：槽蓋                            ６：温度計
７：流体入り口                      ８：流体吐出口
９：イオンカウンター                １０：流体水道水流入口
１１：水道水                        １２：ステンレス製籠
１３：ＯＲＰ測定器                  １４：吐出口
１５：開閉弁                        １６：超音波発生器
１７：流体                          １８：マイナス・イオン放射体
１９：網状容器                      ２０：流体流路
２１：流体入り口                    ２２：流体出口
２３：活性化された流体
【図１】
2005279431.tif 000005
【図２】
2005279431.tif 000006
【図３】
2005279431.tif 000007